(57)【要約】【課題】  元データに変更を加えることなく、かつ比較ツールで比較する必要もなく、ファイル管理情報に付加情報を追加して効率的にファイル管理を行う。【解決手段】  ＣＰＵ２１は、撮像装置２０により被写体を撮影した画像データを画像記憶部２４に格納すると共に、該画像データを管理するためのファイル管理データをファイル管理部２５に格納する。ファイル管理データが有する属性としては、例えば画像データが未保存／保存かどうかを示す画像のＡ（アーカイブ）属性等があり、Ａ（アーカイブ）属性は画像撮影時や編集されると付加（オン）され、コピーが実行されると削除（オフ）される。【選択図】  図３
2005065112.tif 000002
【特許請求の範囲】
【請求項１】
情報を複数のファイルデータとして記録再生する情報記録再生手段と、
前記情報記録再生装置に接続され前記情報記録再生手段からファイルデータを受信しデータ処理するデータ処理手段と、
前記ファイルデータの前記データ処理手段での処理状態を管理する管理データを格納する管理データ格納手段と、
前記管理データに基づき前記データ処理手段での処理を制御する制御手段と
を備えたことを特徴とするデータ処理管理システム。
【請求項２】
前記管理データ格納手段は、前記情報記録再生手段に記憶された前記ファイルデータの、前記データ処理手段における処理動作の処理済み／未処理情報属性情報を有し
前記制御手段は、前記属性情報を参照することで、前記データ処理手段に対する前記情報記録再生手段からのファイルデータの転送を制御する
ことを特徴とする請求項１に記載のデータ処理管理システム。
【請求項３】
前記データ処理手段は、前記情報記録再生手段に記録されたファイルデータをバックアップ記録するバックアップ記録装置である
ことを特徴とする請求項１に記載のデータ処理管理システム。
【請求項４】
前記データ処理手段は、前記情報記録再生手段に記録されたファイルデータを印刷するするプリンタである
ことを特徴とする請求項１に記載のデータ処理管理システム。
【発明の詳細な説明】
【技術分野】
【０００１】
本発明は、情報記録再生装置からのファイルデータのデータ処理状態を管理するデータ処理管理システムに関する。
【背景技術】
【０００２】
従来のデジタルカメラにおいて、撮像された画像をプリンタなどにより印刷する場合には、メモリなどに格納されている画像群の中から、印刷すべき画像を１枚ずつ指定して、対応するデータをプリンタに逐次出力することによりなされていた。
【０００３】
ところで、従来のデジタルカメラにおいては、撮像された画像を印刷する場合、各画像間の相互関係については考慮されていなかった。従って、あるイベント（例えば、ピクニックなど）において撮像された画像群を印刷しようとすると、そのイベントに属する画像を１枚ずつ全て指定してから印刷させる必要があるので、操作が煩雑になるという課題があった。
【０００４】
そこで、例えば特開平１１−１４６３１３号公報等では、デジタルカメラで撮像された画像をプリンタにより印刷する場合において、各画像間の相互関係を考慮して印刷を行うとともに、印刷済みの画像と未印刷の画像を区別し、また、連続印刷の場合において、不要な画像が印刷されることをキャンセルすることを可能とする提案がなされている。
【特許文献１】特開平１１−１４６３１３号公報
【発明の開示】
【発明が解決しようとする課題】
【０００５】
上記特開平１１−１４６３１３号公報では、画像のヘッダの所定ビットを’１’にすることで印刷済みを示したり、印刷済みの画像を表示する場合は、印刷済みであることを示す表示を行うことができる。
【０００６】
しかしながら、画像データのヘッダに変更を加えるので、印刷前後のファイル内容が変わってしまう。例えばプリント前にバックアップ保存しておいたコピーデータと、プリント後の元データと比較した場合にデータの不一致になってしまうので、デジタルカメラ上のファイルと、事前にコピーしたファイルを比較して、新規撮影や修正されたものだけをコピーすることが困難になる。
【０００７】
プリント済みを示すビットを比較しないようにすれば問題はないが、一般的な比較ツールは全ビットの比較を行うので、特別なツールが必要になる。また、テキストファイル等では、データにプリント済みを示すビットを設けることはできない。
【０００８】
本発明は、上記事情に鑑みてなされたものであり、元データに変更を加えることなく、かつ比較ツールで比較する必要もなく、ファイル管理情報に付加情報を追加して効率的にファイル管理を行うことのできるデータ処理管理システムを提供することを目的としている。
【課題を解決するための手段】
【０００９】
本発明のデータ処理管理システムは、情報を複数のファイルデータとして記録再生する情報記録再生手段と、前記情報記録再生装置に接続され前記情報記録再生手段からファイルデータを受信しデータ処理するデータ処理手段と、前記ファイルデータの前記データ処理手段での処理状態を管理する管理データを格納する管理データ格納手段と、前記管理データに基づき前記データ処理手段での処理を制御する制御手段とを備えて構成される。
【発明の効果】
【００１０】
本発明によれば、元データに変更を加えることなく、かつ比較ツールで比較する必要もなく、ファイル管理情報に付加情報を追加して効率的にファイル管理を行うことができるという効果がある。
【発明を実施するための最良の形態】
【００１１】
以下、図面を参照しながら本発明の実施例について述べる。
【実施例１】
【００１２】
図１ないし図１１は本発明の実施例１に係わり、図１はデータ処理管理システムの構成を示す構成図、図２は図１のＤＳＣの背面構成を示す図、図３は図１のＤＳＣの構成を示すブロック図、図４は図３のファイル管理部に格納されるファイル管理データの構造を示す図、図５は図３の画像記憶部に記憶される画像データのファイル及び属性を示す図、図６は図１のデータ処理管理システムの処理の流れを示すフローチャート、図７は図６の処理においてＤＳＣの液晶表示部に表示される第１の画面を示す図、図８は図６の処理においてＤＳＣの液晶表示部に表示される第２の画面を示す図、図９は図６の処理においてＤＳＣの液晶表示部に表示される第３の画面を示す図、図１０は図６の表示処理の詳細な流れを示すフローチャート、図１０は図６のコピー処理の詳細な流れを示すフローチャートである。
【００１３】
図１に示すように、本実施例のデータ処理管理システムでは、データ処理手段としてのストレージ装置１とデジタルスチルカメラ（以下、ＤＳＣ）２とが接続され、図２に示すように、ＤＳＣ２の背面には、被写体像を表示したり、撮影した画像を表示したり各種設定画面を表示する液晶表示部４と、被写体像を確認するファインダ５と、ＤＳＣ２の電源オン状態を示すパワーＬＥＤ６と、ストレージ装置１に画像データの保存を指示するコピースイッチ７と、プリンタ（図示せず）に画像データの印刷を指示するプリントスイッチ８と、液晶表示部４に表示される各種設定画面上での操作データを入力する操作スイッチ部９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１４】
図３に示すように、ＤＳＣ２は、撮像装置２０と、制御手段としてのＣＰＵ２１，ＲＯＭ２２，ＲＡＭ２３，情報記録再生手段としての画像記憶部２４，管理データ格納手段としてのファイル管理部２５を備え、ＲＯＭ２２に格納されている制御プログラムに従いＲＡＭ２３を用いてＣＰＵ２１が各種制御を行うようになっている。
【００１５】
ＣＰＵ２１は、撮像装置２０により被写体を撮影した画像データを画像記憶部２４に格納すると共に、該画像データを管理するためのファイル管理データをファイル管理部２５に格納する。画像記憶部２４及びファイル管理部２５は、不揮発性メモリＥＥＰＲＯＭ等で構成され、電源オフ等でもデータは保持される。画像記憶部２４とファイル管理部２５は固定式のメモリでも交換可能型のメモリでもよい。
【００１６】
また、画像記憶部２４に格納された複数の画像データは液晶表示部４に縮小されて表示ができ、操作スイッチ部９を用いて所望の画像データをストレージ装置１に保存させることができるようになっている。
【００１７】
ここで、ストレージ装置１は、例えば図示しない記録媒体にデータを保存する情報記録再生装置であって、例えばＭＯ，ＤＶＤ，ＨＤＤ等の記録媒体にデータを保存する。
【００１８】
ファイル管理部２５に格納されるファイル管理データの構造を図４に示し、また画像記憶部２４に記憶される画像データのファイル及びその属性を図５に示す。ファイル管理データが有する属性としては、画像データをユーザに見せるかいなかを指定する隠し属性、画像データの編集を不許可にするかいなかのＲ（読み専用）属性、画像データが未保存／保存かどうかを示す画像のＡ（アーカイブ）属性等があり、例えばＡ（アーカイブ）属性は画像撮影時や編集されると付加（オン）され、コピーが実行されると削除（オフ）される。
【００１９】
このように構成された本実施例の作用を図６のフローチャートを用いて説明する。
【００２０】
図６に示すように、ＤＳＣ２において、まず、ステップＳ１でコピースイッチ７が押下されると、図７に示すような設定画面３１が液晶表示部４に表示され、ステップＳ２で操作スイッチ部９を操作することでこの設定画面３１において画像記憶部２４に格納されている全ての画像ファイルのコピーが選択されたかどうか判断する。全ての画像ファイルのコピーが選択されると、ステップＳ３で画像記憶部２４に格納されている全ての画像ファイルを選択しステップＳ４にて再度のコピースイッチ７の押下を待ち、コピースイッチ７が押下されると、ステップＳ５で後述するコピー処理を実行しファイル管理部２５の管理情報を更新し処理を終了する。
【００２１】
また、全ての画像ファイルのコピーが選択されない場合には、図８に示すような設定画面３２が液晶表示部４に表示され、ステップＳ６に進む。
【００２２】
ステップＳ６では、操作スイッチ部９を操作することでこの設定画面３２において未コピー画像ファイルの自動選択が選ばれたかどうか判断する。未コピー画像ファイルの自動選択が選ばれるとステップＳ１０で全ての未コピー画像ファイルを選択しステップＳ４に進み、未コピー画像ファイルの自動選択が選ばれなかった場合はステップＳ７に進む。
【００２３】
ステップＳ７では後述する表示処理を行い、図９に示すような設定画面３３を液晶表示部４に表示する。この設定画面３３では、画像記憶部２４に格納されている全ての画像ファイルの画像を縮小した複数のインデックス画像３４からなり、例えばコピー済みの画像ファイルのインデックス画像３４には「済み」マーク３５が重畳される。
【００２４】
そして、ステップＳ８にて操作スイッチ部９を操作することでコピーする画像が選択され、ステップＳ９にて再度のコピースイッチ７の押下を待ち、コピースイッチ７が押下されるとステップＳ５に進む。
【００２５】
次に、上記ステップＳ７の表示処理を図１０のフローチャートを用いて説明する。この表示処理では、図１０に示すように、ステップＳ１１にて画像記憶部２４より画像を１枚取り込み、ステップＳ１２にて取り込んだ画像の管理情報をファイル管理部２５より読み出し、該画像の属性にＡ（アーカイブ）属性があるかどうか判断し、Ａ（アーカイブ）属性がない場合には取り込んだ画像に「済み」マーク３５を重畳して付けてステップＳ１４に進み、Ａ（アーカイブ）属性がある場合にはそのままステップＳ１４に進む。
【００２６】
ステップＳ１４では、取り込んだ画像の属性にＲ（読み出し専用）属性があるかどうか判断し、Ｒ（読み専用）属性がある場合には取り込んだ画像に「プロテクト」マーク（図示せず）を重畳して付けてステップＳ１６に進み、Ｒ（読み専用）属性がない場合にはそのままステップＳ１６に進む。
【００２７】
ステップＳ１６では、取り込んだ（属性がある場合には対応したマークを重畳した）画像のインデックス画像を生成し、ステップＳ１７で全ての画像の取り込みが終了するまでステップＳ１２〜Ｓ１７の処理を繰り返し、全ての画像が取り込まれるとステップＳ１８で複数のインデックス画像からなる設定画面３３を液晶表示部４に表示し（図９参照）、処理を終了する。
【００２８】
続いて、上記ステップＳ５のコピー処理を図１１のフローチャートを用いて説明する。このコピー処理では、図１１に示すように、ステップＳ２１にて選択された画像を１枚、画像記憶部２４より読み出しストレージ装置１に送信し、ストレージ装置１が画像データを図示しない記憶媒体に記録する。
【００２９】
そして、ステップＳ２２でストレージ装置１に送信した画像の属性からＡ（アーカイブ）属性を削除し、ステップＳ２３で選択された全ての画像の読み出し、保存が終了したことを確認すると処理を終了する。
【００３０】
なお、本実施例においてはストレージ装置１に画像データを保存する例を説明したが、画像データをプリンタにて印刷する際にも、属性にＰ（プリント）属性を持たせることで、プリント済みの画像データと、未プリントの画像データを管理することができ、Ｐ（プリント）属性に基づき画像データのプリントの管理を、ストレージ装置１における保存（コピー）の管理と同様に行うことが可能である。
【００３１】
本実施例では画像データで説明を行ったが、音声データ、テキストデータ等でも良く、またそれら複数の種類が混在していても良い。本実施例ではＤＳＣ２で説明したが、音声レコーダや他の記録再生装置でも良い。
【００３２】
このように本実施例では、ＤＳＣ２がコピーと属性の制御をすることで、コピー／プリント等の動作実行済みを管理できる。それにより同一ファイルを何度もコピー／プリントしてしまうことを防ぐことができる。
【００３３】
また、新規に作成されたファイルや修正されたファイルのみを、簡単にコピーすることができ、元データに変更を加えることがない。
【００３４】
テキストファイルのような元データに変更を加えることが困難なファイルに関しても適用できる。
【００３５】
ファイル名と同じ管理情報で属性を管理しているので、ファイル名の変更が行われても属性情報を失うことがない。また読み専用の設定/解除を行った場合でもアーカイブ属性を失うことがない。
【００３６】
また、電源オフ、コピー先の変更時にコピー済み情報をクリアしたい場合は、電源オフ／オン、接続オフ／オン、コピー先メデイアの抜き挿しで、Ａ（アーカイブ）属性を全てオンにすれば良い。
【実施例２】
【００３７】
図１２ないし図１４は本発明の実施例２に係わり、図１２はコピー処理の詳細な流れを示すフローチャート、図１３は図１２の処理で使用されるファイル管理データを示す図、図１４は図１２の処理で使用される未コピー画像リストを示す図である。
【００３８】
実施例２は、ストレージ装置１がコピーを制御し、属性はＤＳＣ２が制御する実施例であって、実施例１と構成は同じであるので、異なる点のみ説明する。
【００３９】
本実施例はステップＳ５のコピー処理が実施例１と異なっており、図１２に示すように、ステップＳ３１にてＤＳＣ２よりコピーファイルリストがストレージ装置１に送信される。
【００４０】
本実施例のファイル管理データにおいては、全てのファイル／フォルダにＩＤを付与し、属性情報等とともに図１３に示すようなファイルにして管理する（ファイルサイズもここで管理しても良い）と共に、図１４に示すようなコピーファイルリスト（ステップＳ８またはＳ１０で全ての未コピーファイル選択した場合）を生成して、このコピーファイルリストがステップＳ３１にてストレージ装置１に送信される。
【００４１】
そして、ＤＳＣ２は、ステップＳ３２にてストレージ装置１よりコピーファイルリストの画像送信要求を待ち、ステップＳ３３にてファイルの画像送信要求があると要求された画像を送信し、ステップＳ３４にてストレージ装置１に送信した画像の属性からＡ（アーカイブ）属性を削除し、ステップＳ２３で選択された全ての画像の読み出し、保存が終了したことを確認すると処理を終了する。
【００４２】
このように本実施例では、実施例１と同様な効果を得ることができる。
【実施例３】
【００４３】
図１５は本発明の実施例３に係るコピー処理の詳細な流れを示すフローチャートである。
【００４４】
実施例３は、実施例２と構成は同じであるので、異なる点のみ説明する。
【００４５】
本実施例はステップＳ５のコピー処理が実施例２と異なっており、本実施例ではストレージ装置１がコピーと属性の制御をする実施例であって、図１２に示すように、ステップＳ４１にてストレージ装置１がＤＳＣ２に対して未コピー画像リストを要求する。
【００４６】
本実施例においても実施例２と同様に、ファイル管理データにおいては、全てのファイル／フォルダにＩＤを付与し、属性情報等とともにファイルにして管理するが、ＤＳＣ２はＩＤを付与したファイル管理データより、図１５に示すような未コピー画像リストを生成する。
【００４７】
そこでストレージ装置１は、ステップＳ４２にてＤＳＣ２より未コピー画像リストを受信すると、ステップＳ４３にて未コピー画像リスト内の１枚分の画像データの送信をＤＳＣ２に対して要求する。
【００４８】
そして、ステップＳ４４にてＤＳＣ２より１枚分の画像データを受信すると、ステップＳ４５にて受信した画像データを記録媒体に書き込み、ステップＳ４６にてＤＳＣ２に対して書き込みが終了した画像の属性からＡ（アーカイブ）属性を削除するように要求し、ステップＳ４７で未コピー画像リスト上の全ての画像の書き込みが終了したことを確認すると処理を終了する。
【００４９】
ステップＳ４１で図３に示す全てのリストを受信し、ストレージ装置１が図１４に示す未コピー画像リストを抽出してもよい。
【００５０】
ストレージ装置１でのコピー開始は、ＤＳＣ２のコピースイッチ７で開始しても、ストレージ装置１の操作ボタンで開始しても、ＤＳＣ２とストレージ装置１が接続されることで自動的に開始してもよい。
【００５１】
このように本実施例では、実施例１と同様な効果を得ることができる。
【００５２】
本発明は、上述した実施例に限定されるものではなく、本発明の要旨を変えない範囲において、種々の変更、改変等が可能である。
【図面の簡単な説明】
【００５３】
【図１】本発明の実施例１に係るデータ処理管理システムの構成を示す構成図
【図２】図１のＤＳＣの背面構成を示す図
【図３】図１のＤＳＣの構成を示すブロック図
【図４】図３のファイル管理部に格納されるファイル管理データの構造を示す図
【図５】画像記憶部に記憶される画像データのファイル及び属性を示す図
【図６】図１のデータ処理管理システムの処理の流れを示すフローチャート
【図７】図６の処理においてＤＳＣの液晶表示部に表示される第１の画面を示す図
【図８】図６の処理においてＤＳＣの液晶表示部に表示される第２の画面を示す図
【図９】図６の処理においてＤＳＣの液晶表示部に表示される第３の画面を示す図
【図１０】図６の表示処理の詳細な流れを示すフローチャート
【図１１】図６のコピー処理の詳細な流れを示すフローチャート
【図１２】本発明の実施例２に係るコピー処理の詳細な流れを示すフローチャート
【図１３】図１２の処理で使用されるファイル管理データを示す図
【図１４】図１３の処理で使用される未コピー画像リストを示す図
【図１５】本発明の実施例３に係るコピー処理の詳細な流れを示すフローチャート
【符号の説明】
【００５４】
１…ストレージ装置
２…ＤＳＣ
４…液晶表示部
５…ファインダ
６…パワーＬＥＤ
７…コピースイッチ
８…プリントスイッチ
９…操作スイッチ部
１０…シャッタ
１１…モード選択ダイヤル
２０…撮像装置
２１…ＣＰＵ
２２…ＲＯＭ
２３…ＲＡＭ
２４…画像記憶部
２５…ファイル管理部
代理人    弁理士    伊藤  進
【図１】
2005065112.tif 000003
【図２】
2005065112.tif 000004
【図３】
2005065112.tif 000005
【図４】
2005065112.tif 000006
【図５】
2005065112.tif 000007
【図６】
2005065112.tif 000008
【図７】
2005065112.tif 000009
【図８】
2005065112.tif 000010
【図９】
2005065112.tif 000011
【図１０】
2005065112.tif 000012
【図１１】
2005065112.tif 000013
【図１２】
2005065112.tif 000014
【図１３】
2005065112.tif 000015
【図１４】
2005065112.tif 000016
【図１５】
2005065112.tif 000017